(57)【要約】      （修正有）【課題】高濃度かつ高感度で定着性の良好な画像を得る為の新規な感熱転写記録材料及び該方法により得られる新規な金属キレート画像、新規な金属キレート色素を提供する。【解決手段】染料前駆体としてのポストキレート色素の少なくとも１種を含有する色素供与層を有する熱転写シートと、一般式（II）で表される化合物と金属イオンからなる金属イオン含有化合物を少なくとも１種含有する色素受像層を有する熱転写受像シートからなることを特徴とする感熱転写記録材料、感熱転写記録方法、及び金属キレート色素画像。2006315390.tif 000071【選択図】なし【特許請求の範囲】
【請求項１】
下記一般式（Ｉ）で表される色素の少なくとも１種含有する色素供与層を有する熱転写シートと、下記一般式（II）で表される化合物と金属イオンからなる金属イオン含有化合物を少なくとも１種含有する色素受像層を有する熱転写受像シートからなることを特徴とする感熱転写記録材料。
【化１】
2006315390.tif 000067
（式中、Ｒ1、Ｒ2、Ｒ3は水素原子または置換基を表す。Ａ1、Ａ2、Ａ3およびＡ4はそれぞれ独立にＣ−Ｒ15または窒素原子を表し、Ｒ15は水素原子又は置換基を表す。複数のＲ15が存在する場合、それぞれのＲ15は同一であっても良く、また異なっていても良い。Ｊはアルキレン基を表し、Ｒ4はアミノ基またはイミノ基を表す。）
【化２】
2006315390.tif 000068
（式中、Ｒ5、Ｒ6、Ｒ7は置換基を表す。）
【請求項２】
前記一般式（Ｉ）で表される色素が下記一般式（III）で表されることを特徴とする請求項１に記載の感熱転写記録材料。
【化３】
2006315390.tif 000069
（式中、Ｒ1、Ｒ2、Ｒ3、Ａ1、Ａ2、Ａ3およびＡ4は前記一般式（Ｉ）と同義の基を表す。Ｒ8、Ｒ9、Ｒ10、Ｒ11は水素原子またはアルキル基、シクロアルキル基、アリール基または複素環基を表す。Ｒ10、Ｒ11は互いに連結して環を形成してもよい。）
【請求項３】
前記一般式（II）で表される色素が下記一般式（IV）で表されることを特徴とする請求項１または２に記載の感熱転写記録材料。
【化４】
2006315390.tif 000070
（式中、Ｒ12は置換基を表す。Ｒ13は炭素数２以上のアルキル基、シクロアルキル基、アルケニル基、アルキニル基、アリール基、アラルキル基、又はヘテロ環基を表す。Ｒ14は水素原子または置換基を表す。）
【請求項４】
前記一般式（IV）で表される化合物の置換基Ｒ12がメチル基であり、かつ前記一般式（IV）で表される化合物の疎水性／親水性パラメーター値（ｌｏｇＰ値）が４．０以上１２．０以下の範囲であることを特徴とする請求項３に記載の感熱転写記録材料。
【請求項５】
支持体上に前記一般式（Ｉ）または（III）で表される色素の少なくとも１種含有する色素供与層を有する熱転写シートに、支持体上に前記一般式（II）または（IV）で表される化合物と金属イオンからなる金属イオン含有化合物を少なくとも１種含有する色素受像層を有する熱転写受像シートを重ね、該熱転写シートを画像情報に応じて加熱し、前記色素と前記金属イオン含有化合物との反応により金属キレート色素画像を形成することを特徴とする感熱転写記録方法。
【請求項６】
前記一般式（Ｉ）または（III）で表される色素を配位子とする金属キレート色素を少なくとも１種含有することを特徴とする感熱転写記録材料。
【請求項７】
前記一般式（Ｉ）または（III）で表される色素を配位子とする金属キレート色素を少なくとも１種含有することを特徴とする感熱転写記録方法。
【請求項８】
請求項５または７に記載の感熱転写記録方法により形成されることを特徴とする金属キレート色素画像。
【発明の詳細な説明】
【技術分野】
【０００１】
本発明は、感熱転写記録材料、感熱転写記録方法及び金属キレート色素画像に関する。
【背景技術】
【０００２】
従来から、カラーハードコピーを得る方法として、感熱転写、インクジェット、電子写真、ハロゲン化銀感光材料等によりカラー画像記録技術が検討されている。
【０００３】
これらのうち、感熱転写材料は操作や保守が容易であること、装置の小型化、低コスト化が可能なこと、更にランニングコストが安いこと等の利点を有している。
【０００４】
感熱転写材料においてはカラー画像を形成する為に用いられる色素は特に重要であり、各種の感熱転写材料用色素が提案されている。カラー画像形成用の色素としては、分光吸収がシャープで副吸収が少なく、分子吸光係数が高いなど吸収特性が良好で、熱、光に対する安定性に優れた色素が求められている。また、色素の合成が容易であることや溶剤に対する溶解性が良好であることも重要である。これらの色素として特定のアゾメチン色素が提案されて（例えば、特許文献１参照。）いる。また、改良を重ねた同様のアゾメチン色素およびそれを用いた感熱転写記録材料が提案されて（例えば、特許文献２〜６参照。）いる。前記特許に記載された色素を用いた感熱転写材料で形成された画像は、色相が良好であり、また色素のモル吸光係数が高い為に感熱転写材料の感度も比較的高い点で従来の感熱転写の問題点を改良する特性を有している。しかしながら形成された画像の耐光性が不充分という欠点を有していた。さらに、これらの感熱記録材料では、高温高湿下で長期間保存した場合、画像の滲みが発生するという問題が生じることがわかっている。
【０００５】
これらの問題点を解決するために、特定の構造を有する化合物、およびこれを用いた感熱転写記録材料が提案されている（例えば、特許文献７〜１０参照。）が、前記耐光性の問題の解決には十分とはいえない。
【０００６】
さらに、近年では画像プリントの高速化に対応するため、より低いエネルギーで濃淡を表現することが重要視されている。つまり、色素に関して言えば、熱応答性の高い、所謂感度の高い色素が切望されている。しかし、保存性とのバランスも含め、上記色素では未だ十分なレベルとは言えない。
【０００７】
以上をまとめると、近年の感熱転写用色素では共通して次のような性質を具備していることが望まれている。即ち、１）色再現性上好ましい色相を有すること、２）最適な分光吸収特性を有すること、３）耐光性、耐熱性、耐湿性、対薬品性などの画像堅牢性が良好であること、４）モル吸光係数が大きいこと、５）熱応答性（感度）が高いこと、等が挙げられる。
【特許文献１】特開昭６３−１４５２８１号公報
【特許文献２】特開平１−６３１９４号公報
【特許文献３】特開平２−２０８０９４号公報
【特許文献４】特開平４−９０３８４号公報
【特許文献５】特開平５−２５５６０４号公報
【特許文献６】特開平６−２４１５７号公報
【特許文献７】特開平６−１７１２３９号公報
【特許文献８】特開平７−１６６０８４号公報  （特許請求の範囲、実施例）
【特許文献９】特開平７−２１４９２３号公報
【特許文献１０】特開平７−１３７４５５号公報
【発明の開示】
【発明が解決しようとする課題】
【０００８】
本発明は上記事情に鑑みてなされたものであり、本発明の目的は、高濃度かつ高感度で定着性の良好な画像を得る為の新規な感熱転写記録材料及び該材料により得られる新規な金属キレート画像の感熱転写記録方法の提供することにある。
【課題を解決するための手段】
【０００９】
本発明者らは鋭意研究の結果、特定の色素および金属含有化合物を組み合わせて用いることにより、本発明の目的を達成し得ることを見出した。
【００１０】
即ち、本発明の上記目的は下記構成によって達成される。
【００１１】
１．下記一般式（Ｉ）で表される色素の少なくとも１種含有する色素供与層を有する熱転写シートと、下記一般式（II）で表される化合物と金属イオンからなる金属イオン含有化合物を少なくとも１種含有する色素受像層を有する熱転写受像シートからなることを特徴とする感熱転写記録材料。
【００１２】
【化１】
2006315390.tif 000002
【００１３】
（式中、Ｒ1、Ｒ2、Ｒ3は水素原子または置換基を表す。Ａ1、Ａ2、Ａ3およびＡ4はそれぞれ独立にＣ−Ｒ15または窒素原子を表し、Ｒ15は水素原子又は置換基を表す。複数のＲ15が存在する場合、それぞれのＲ15は同一であっても良く、また異なっていても良い。Ｊはアルキレン基を表し、Ｒ4はアミノ基またはイミノ基を表す。）
【００１４】
【化２】
2006315390.tif 000003
【００１５】
（式中、Ｒ5、Ｒ6、Ｒ7は置換基を表す。）
２．前記一般式（Ｉ）で表される色素が下記一般式（III）で表されることを特徴とする前記１に記載の感熱転写記録材料。
【００１６】
【化３】
2006315390.tif 000004
【００１７】
（式中、Ｒ1、Ｒ2、Ｒ3、Ａ1、Ａ2、Ａ3およびＡ4は前記一般式（Ｉ）と同義の基を表す。Ｒ8、Ｒ9、Ｒ10、Ｒ11は水素原子またはアルキル基、シクロアルキル基、アリール基または複素環基を表す。Ｒ10、Ｒ11は互いに連結して環を形成してもよい。）
３．前記一般式（II）で表される色素が下記一般式（IV）で表されることを特徴とする前記１または２に記載の感熱転写記録材料。
【００１８】
【化４】
2006315390.tif 000005
【００１９】
（式中、Ｒ12は置換基を表す。Ｒ13は炭素数２以上のアルキル基、シクロアルキル基、アルケニル基、アルキニル基、アリール基、アラルキル基、又はヘテロ環基を表す。Ｒ14は水素原子または置換基を表す。）
４．前記一般式（IV）で表される化合物の置換基Ｒ12がメチル基であり、かつ前記一般式（IV）で表される化合物の疎水性／親水性パラメーター値（ｌｏｇＰ値）が４．０以上１２．０以下の範囲であることを特徴とする前記３に記載の感熱転写記録材料。
【００２０】
５．支持体上に前記一般式（Ｉ）または（III）で表される色素の少なくとも１種含有する色素供与層を有する熱転写シートに、支持体上に前記一般式（II）または（IV）で表される化合物と金属イオンからなる金属イオン含有化合物を少なくとも１種含有する色素受像層を有する熱転写受像シートを重ね、該熱転写シートを画像情報に応じて加熱し、前記色素と前記金属イオン含有化合物との反応により金属キレート色素画像を形成することを特徴とする感熱転写記録方法。
【００２１】
６．前記一般式（Ｉ）または（III）で表される色素を配位子とする金属キレート色素を少なくとも１種含有することを特徴とする感熱転写記録材料。
【００２２】
７．前記一般式（Ｉ）または（III）で表される色素を配位子とする金属キレート色素を少なくとも１種含有することを特徴とする感熱転写記録方法。
【００２３】
８．前記５または７に記載の感熱転写記録方法により形成されることを特徴とする金属キレート色素画像。
【発明の効果】
【００２４】
本発明により、高濃度かつ高感度で定着性の良好な画像を得る為の新規な感熱転写記録材料及び該材料により得られる新規な金属キレート画像の感熱転写記録方法を提供することができた。
【発明を実施するための最良の形態】
【００２５】
本発明を更に詳しく説明する。まず、本発明に用いられる化合物について詳細に説明する。
【００２６】
一般式（Ｉ）において、Ｒ1、Ｒ2、Ｒ3は水素原子または置換基を表すが、Ｒ1の置換基としては、アルキル基（例えばメチル基、エチル基、プロピル基、ｉ−プロピル基、ｔ−ブチル基、ｎ−ドデシル基、および１−ヘキシルノニル基等）、シクロアルキル基（例えばシクロプロピル基、シクロヘキシル基、ビシクロ［２．２．１］ヘプチル基、およびアダマンチル基等）、およびアルケニル基（例えば２−プロピレン基、オレイル基等）、アリール基（例えばフェニル基、オルト−トリル基、オルト−アニシル基、１−ナフチル基、９−アントラニル基等）、アラルキル基（ベンジル基、ｏ−ブロモベンジル基など）、アルキニル基（例えば、エチニル基、１−プロピニル基等）、複素環基（例えば２−テトラヒドロフリル基、２−チオフェニル基、４−イミダゾリル基、および２−ピリジル基等）、ハロゲン原子（例えばフッ素原子、塩素原子、臭素原子等）、シアノ基、ニトロ基、ヒドロキシ基、カルボニル基（例えばアセチル基、トリフルオロアセチル基、ピバロイル基等のアルキルカルボニル基、ベンゾイル基、ペンタフルオロベンゾイル基、３，５−ジ−ｔ−ブチル−４−ヒドロキシベンゾイル基等のアリールカルボニル基等）、オキシカルボニル基（例えばメトキシカルボニル基、シクロヘキシルオキシカルボニル基、ｎ−ドデシルオキシカルボニル基等のアルコキシカルボニル基、フェノキシカルボニル基、２，４−ジ−ｔ−アミルフェノキシカルボニル基、１−ナフチルオキシカルボニル基等のアリールオキシカルボニル基、および２−ピリジルオキシカルボニル基、１−フェニルピラゾリル−５−オキシカルボニル基などの複素環オキシカルボニル基等）、カルバモイル基（例えばジメチルカルバモイル基、４−（２，４−ジ−ｔ−アミルフェノキシ）ブチルアミノカルボニル基等のアルキルカルバモイル基、フェニルカルバモイル基、１−ナフチルカルバモイル基等のアリールカルバモイル基）、アルコキシ基（例えばメトキシ基、２−エトキシエトキシ基等）、アリールオキシ基（例えばフェノキシ基、２，４−ジ−ｔ−アミルフェノキシ基、４−（４−ヒドロキシフェニルスルホニル）フェノキシ基等）、複素環オキシ基（例えば４−ピリジルオキシ基、２−ヘキサヒドロピラニルオキシ基等）、カルボニルオキシ基（例えばアセチルオキシ基、トリフルオロアセチルオキシ基、ピバロイルオキシ基等のアルキルカルボニルオキシ基、ベンゾイルオキシ基、ペンタフルオロベンゾイルオキシ基等のアリールオキシ基等）、ウレタン基（例えばＮ，Ｎ−ジメチルウレタン基等のアルキルウレタン基、Ｎ−フェニルウレタン基、Ｎ−（ｐ−シアノフェニル）ウレタン基等のアリールウレタン基）、スルホニルオキシ基（例えばメタンスルホニルオキシ基、トリフルオロメタンスルホニルオキシ基、ｎ−ドデカンスルホニルオキシ基等のアルキルスルホニルオキシ基、ベンゼンスルホニルオキシ基、ｐ−トルエンスルホニルオキシ基等のアリールスルホニルオキシ基）、アミノ基（例えばジメチルアミノ基、シクロヘキシルアミノ基、ｎ−ドデシルアミノ基等のアルキルアミノ基、アニリノ基、ｐ−ｔ−オクチルアニリノ基等のアリールアミノ基等）、スルホニルアミノ基（例えばメタンスルホニルアミノ基、ヘ��タフルオロプロパンスルホニルアミノ基、ｎ−ヘキサデシルスルホニルアミノ基等のアルキルスルホニルアミノ基、ｐ−トルエンスルホニルアミノ基、ペンタフルオロベンゼンスルホニルアミノ等のアリールスルホニルアミノ基）、スルファモイルアミノ基（例えばＮ，Ｎ−ジメチルスルファモイルアミノ基等のアルキルスルファモイルアミノ基、Ｎ−フェニルスルファモイルアミノ基等のアリールスルファモイルアミノ基）、アシルアミノ基（例えばアセチルアミノ基、ミリストイルアミノ基等のアルキルカルボニルアミノ基、ベンゾイルアミノ基等アリールカルボニルアミノ基）、ウレイド基（例えばＮ，Ｎ−ジメチルアミノウレイド基等のアルキルウレイド基、Ｎ−フェニルウレイド基、Ｎ−（ｐ−シアノフェニル）ウレイド基等のアリールウレイド基）、スルホニル基（例えばメタンスルホニル基、トリフルオロメタンスルホニル基等のアルキルスルホニル基、およびｐ−トルエンスルホニル基等のアリールスルホニル基）、スルファモイル基（例えばジメチルスルファモイル基、４−（２，４−ジ−ｔ−アミルフェノキシ）ブチルアミノスルホニル基等のアルキルスルファモイル基、フェニルスルファモイル基等のアリールスルファモイル基）、アルキルチオ基（例えばメチルチオ基、ｔ−オクチルチオ基等）、アリールチオ基（例えばフェニルチオ基等）、および複素環チオ基（例えば１−フェニルテトラゾール−５−チオ基、５−メチル−１，３，４−オキサジアゾール−２−チオ基等）等が挙げられる。これらの置換基は、置換し得る部分に更に置換基を有していても良く、置換基の例としては上記置換基の例が挙げられる。
【００２７】
Ｒ2の置換基の例としては上記Ｒ1における記載と同義である。
【００２８】
Ｒ3の置換基の例としては上記Ｒ1における記載と同義である。
【００２９】
Ａ1、Ａ2、Ａ3およびＡ4はそれぞれ独立にＣ−Ｒ15または窒素原子を表し、Ｒ15は水素原子又は置換基を表し、置換基の例としては上記Ｒ1における記載と同義である。
【００３０】
複数のＲ15が存在する場合、それぞれのＲ15は同一であっても良く、また異なっていて
Ｊはアルキレン基を表すが、アルキレン基は置換されていてもよく、また、されていなくてもよい。置換基の例は上記Ｒ1における記載と同義である。
【００３１】
Ｒ4はアミノ基またはイミノ基を表すが、アミノ基がより好ましい。Ｒ4がアミノ基の場合、１級、２級、３級アミノ基のいずれであってもよく、その場合Ｒ4は
（Ａ）−ＮＨ2、（Ｂ）−ＮＨＲ41、（Ｃ）−ＮＲ41Ｒ42
で表される。この場合Ｒ41、Ｒ42はアルキル基、シクロアルキル基、アリール基または複素環基を表す。Ｒ41、Ｒ42はそれぞれ同じであってもよく、また異なっていてもよい。Ｒ41、Ｒ42はさらに置換基を有していてもよい。置換基の例は上記Ｒ1における記載と同義である。
【００３２】
Ｒ4がイミノ基の場合Ｒ4は
（Ｄ）−Ｎ＝ＣＲ43Ｒ44
で表される。この場合Ｒ43、Ｒ44は水素原子または置換基を表す。Ｒ43、Ｒ44はそれぞれ同じであってもよく、また異なっていてもよい。Ｒ43、Ｒ44はさらに置換基を有していてもよい。置換基の例は上記Ｒ1における記載と同義である。
【００３３】
一般式（III）において、Ｒ1、Ｒ2、Ｒ3はそれぞれ独立に水素原子または置換基を表し、置換基の例としては上記Ｒ1における記載と同義である。
【００３４】
Ａ1、Ａ2、Ａ3、Ａ4は一般式（Ｉ）と同義である。
【００３５】
一般式（Ｉ）または（III）の色素において、該色素を熱によって転写し像を得る、所謂熱転写方式の画像形成方法に用いるためには、色素の転写性が良好である必要がある。一般的には、色素の転写性はその分子量が低いほど良好であるとされているが、分子量が低すぎても経時でにじみがでるなどの故障が生じていた。本発明において、発明者らは鋭意検討の結果、色素の分子量に最適値があることを見いだした。色素の分子量は、好ましくは２５０〜６００であり、さらに好ましくは３００〜５００である。
【００３６】
以下に本発明中の一般式（Ｉ）または（III）で表される色素の具体例を示すが、本発明はこれらに限定されるものではない。
【００３７】
【化５】
2006315390.tif 000006
【００３８】
【化６】
2006315390.tif 000007
【００３９】
【化７】
2006315390.tif 000008
【００４０】
【化８】
2006315390.tif 000009
【００４１】
【化９】
2006315390.tif 000010
【００４２】
【化１０】
2006315390.tif 000011
【００４３】
【化１１】
2006315390.tif 000012
【００４４】
【化１２】
2006315390.tif 000013
【００４５】
【化１３】
2006315390.tif 000014
【００４６】
【化１４】
2006315390.tif 000015
【００４７】
【化１５】
2006315390.tif 000016
【００４８】
【化１６】
2006315390.tif 000017
【００４９】
【化１７】
2006315390.tif 000018
【００５０】
【化１８】
2006315390.tif 000019
【００５１】
【化１９】
2006315390.tif 000020
【００５２】
【化２０】
2006315390.tif 000021
【００５３】
【化２１】
2006315390.tif 000022
【００５４】
【化２２】
2006315390.tif 000023
【００５５】
【化２３】
2006315390.tif 000024
【００５６】
【化２４】
2006315390.tif 000025
【００５７】
【化２５】
2006315390.tif 000026
【００５８】
【化２６】
2006315390.tif 000027
【００５９】
【化２７】
2006315390.tif 000028
【００６０】
【化２８】
2006315390.tif 000029
【００６１】
【化２９】
2006315390.tif 000030
【００６２】
【化３０】
2006315390.tif 000031
【００６３】
【化３１】
2006315390.tif 000032
【００６４】
【化３２】
2006315390.tif 000033
【００６５】
【化３３】
2006315390.tif 000034
【００６６】
【化３４】
2006315390.tif 000035
【００６７】
【化３５】
2006315390.tif 000036
【００６８】
【化３６】
2006315390.tif 000037
【００６９】
【化３７】
2006315390.tif 000038
【００７０】
【化３８】
2006315390.tif 000039
【００７１】
【化３９】
2006315390.tif 000040
【００７２】
【化４０】
2006315390.tif 000041
【００７３】
【化４１】
2006315390.tif 000042
【００７４】
【化４２】
2006315390.tif 000043
【００７５】
【化４３】
2006315390.tif 000044
【００７６】
【化４４】
2006315390.tif 000045
【００７７】
【化４５】
2006315390.tif 000046
【００７８】
【化４６】
2006315390.tif 000047
【００７９】
【化４７】
2006315390.tif 000048
【００８０】
本発明に使用される一般式（Ｉ）または（III）の色素は、主にカプラーと発色現像主薬との酸化カップリングより合成することができる。例えば例示化合物６６の場合、以下のスキームに従って合成することができる。
【００８１】
【化４８】
2006315390.tif 000049
【００８２】
一般式（IV）において、Ｒ12は置換基を表し、置換基の例としては一般式（Ｉ）と同義である。Ｒ12の好ましい例としてはアルキル基、アリール基が挙げられるが、更に好ましくはアルキル基であり、最も好ましいのはメチル基である。Ｒ13は炭素数２以上のアルキル基（エチル基、プロピル基、ブチル基、オクチル基、エトキシエチル基、イソプロピル基、ｔ−ブチル基、２−エチルヘキシル基など）、シクロアルキル基（例えば、シクロヘキシル基、シクロヘプチル基等）、アルケニル基（エテニル基、アリル基、ブテニル基など）、アルキニル基（エチニル基、プロピニル基、ブチニル基など）、アリール基（フェニル基、トリル基、クロルフェニル基、ビフェニル基など）、アラルキル基（ベンジル基、ｏ−ブロモベンジル基など）、ヘテロ環基（ピロリル基、チエニル基、イミダゾリル基、フラニル基、ピリジニル基、ベンゾチアゾリル基、チアジアゾリル基、ベンゾチアゾリル基など）を表す。これらの置換基はさらに置換基を有していても良く、置換基としては、ハロゲン原子（例えば、フッ素原子、塩素原子、臭素原子等）、アルキル基（例えば、メチル基、エチル基、プロピル基、ブチル基、ペンチル基、ｉｓｏ−ペンチル基、２−エチル−ヘキシル基、オクチル基、デシル基等）、シクロアルキル基（例えば、シクロヘキシル基、シクロヘプチル基等）、アルケニル基（例えば、エテニル−２−プロペニル基、３−ブテニル基、１−メチル−３−プロペニル基、３−ペンテニル基、１−メチル−３−ブテニル基等）、シクロアルケニル基（例えば、１−シクロアルケニル基、２−シクロアルケニル基等）、アルキニル基（例えば、エチニル基、１−プロピニル基等）、アルコキシ基（例えば、メトキシ基、エトキシ基、プロポキシ基等）、アルキルカルボニルオキシ基（例えば、アセチルオキシ基等）、アルキルチオ基（例えば、メチルチオ基、トリフルオロメチルチオ基等）、カルボキシル基、アルキルカルボニルアミノ基（例えば、アセチルアミノ基等）、ウレイド基（例えば、メチルアミノカルボニルアミノ基等）、アルキルスルホニルアミノ基（例えば、メタンスルホニルアミノ基等）、アルキルスルホニル基（例えば、メタンスルホニル基、トリフルオロメタンスルホニル基等）、カルバモイル基（例えば、カルバモイル基、Ｎ，Ｎ−ジメチルカルバモイル基、Ｎ−モルホリノカルボニル基等）、スルファモイル基（スルファモイル基、Ｎ，Ｎ−ジメチルスルファモイル基、モルフォリノスルファモイル基等）、トリフルオロメチル基、ヒドロキシル基、ニトロ基、シアノ基、アルキルスルホンアミド基（例えば、メタンスルホンアミド基、ブタンスルホンアミド基等）、アルキルアミノ基（例えばアミノ基、Ｎ，Ｎ−ジメチルアミノ基、Ｎ，Ｎ−ジエチルアミノ基等）、スルホ基、ホスフォノ基、サルファイト基、スルフィノ基、アルキルスルホニルアミノカルボニル基（例えば、メタンスルホニルアミノカルボニル基、エタンスルホニルアミノカルボニル基等）、アルキルカルボニルアミノスルホニル基（例えば、アセトアミドスルホニル基、メトキシアセトアミドスルホニル基等）、アルキニルアミノカルボニル基（例えば、アセトアミドカルボニル基、メトキシアセトアミドカルボニル基等）、���ルキルスルフィニルアミノカルボニル基（例えば、メタンスルフィニルアミノカルボニル基、エタンスルフィニルアミノカルボニル基等）、アリール基（例えば、フェニル基、カルボキシフェニル基等）、アリールオキシ基（フェノキシ基、ｐ−クロロフェノキシ基、ｐ−ｔｅｒｔ−ブチルフェノキシ基など）、ヘテロ環基（ピロリル基、チエニル基、イミダゾリル基、フラニル基、ピリジニル基、ベンゾチアゾリル基、チアジアゾリル基、ベンゾチアゾリル基など）等の置換基で置換されていても良い。また、置換基が二つ以上ある場合は、同じでも異なってもよい。
【００８３】
Ｒ14は水素原子または置換基を表し、置換基の例としては上述したＲ13の置換基を挙げることができる。
【００８４】
さらに一般式（IV）で表される化合物は、下記一般式（Ｖ）で表される化合物が好ましい。
【００８５】
【化４９】
2006315390.tif 000050
【００８６】
一般式（Ｖ）において、Ｒ12、Ｒ13は前記一般式（IV）と同義の基を表し、Ｒ16は前記一般式（Ｉ）と同義の基を表す。ｌは１から５の整数を表し、ｌが複数の場合、各々のＲ16は同一でも、異なっていても良い。ＸはＯ、Ｓ、ＳＯまたはＳＯ2を表す。
【００８７】
一般式（IV）または（Ｖ）の化合物が金属含有化合物を形成して好ましい性能を示すためには、一般式（IV）で示される化合物の親水性／疎水性パラメータ値（ＬｏｇＰ値）が４．０以上１２．０以下の範囲であることが好ましく、さらに好ましくは５．０以上１１．０以下の範囲である。
【００８８】
疎水性／親水性を表すパラメータであるｌｏｇＰは、通常ｎ−オクタノールと水への２つの溶媒系における物質の分配係数より求めることが出来るが、これらは化学領域増刊１２２号「薬物の構造活性相関」（南江堂）７３〜１０３頁に詳しく記載されている。近年ｌｏｇＰを計算により求める方法が提案されており、特に有用な方法として米国モレキュラーデザイン社（Ｍｏｌｅｃｕｌａｒ  Ｄｅｓｉｇｎ  Ｌｉｍｉｔｅｄ）のソフトウェア「ＣＨＥＭＬＡＢ−II  Ｒｅｖｉｓｉｏｎ１０．０２」を挙げることが出来る。本発明でいうところのｌｏｇＰとはこのソフトウェア「ＣＨＥＭＬＡＢ−II  Ｒｅｖｉｓｉｏｎ１０．０２」を用いて計算された値である。
【００８９】
以下に、一般式（II）または（IV）に示される化合物の具体例を示すが、本発明はそれらに限定されるものではない。
【００９０】
【化５０】
2006315390.tif 000051
【００９１】
【化５１】
2006315390.tif 000052
【００９２】
【化５２】
2006315390.tif 000053
【００９３】
【化５３】
2006315390.tif 000054
【００９４】
【化５４】
2006315390.tif 000055
【００９５】
【化５５】
2006315390.tif 000056
【００９６】
次に、本発明に用いられる金属イオン含有化合物について述べる。本発明に用いられる金属イオン含有化合物は下記一般式（Ａ）で表される。
【００９７】
一般式（Ａ）    Ｍn+（Ｘ-）n
Ｍn+はｎ価の金属イオンを表すが、これらの中でも金属イオン含有化合物の色およびキレート化した色素の色調から２価の金属イオンが好ましく、更にその中でもニッケル、銅および亜鉛が好ましい。Ｘ-はｎ価の金属イオンと錯体を形成することができる前記一般式（II）または（IV）がアニオン化した形態を表す。また、本発明に用いられる金属イオン含有化合物は中心金属に応じて中性の配位子を有してもよく、代表的な配位子としてはＨ2Ｏ或はＮＨ3が挙げられる。
【００９８】
本発明における金属イオン含有化合物は、一般式（II）または（IV）の化合物を合成した後にｎ価の金属化合物と反応させ得られるものであることが好ましい。これらの金属イオン含有化合物の合成方法は、「キレート化学（５）錯体化学実験法［Ｉ］（南江堂編）」などに記載の方法に準じて合成することが出来る。使用される金属化合物としては、塩化ニッケル、酢酸ニッケル、塩化マグネシウムに代表されるマグネシウム化合物、塩化カルシウムに代表されるカルシウム化合物、塩化バリウム、塩化亜鉛、酢酸亜鉛、塩化チタン（II）、塩化鉄（II）、酢酸銅、塩化銅（II）、塩化コバルト、塩化マンガン（II）、塩化鉛、酢酸鉛、塩化水銀、酢酸水銀等が挙げられるが、前述のとおり、金属イオン含有化合物の色およびキレート化した色素の色調の点から、好ましくは酢酸銅、塩化亜鉛、酢酸亜鉛、塩化ニッケル、酢酸ニッケルであり、最も好ましいのは酢酸ニッケルである。
【００９９】
次に金属イオン含有化合物の合成例を示す。
【０１００】
合成例１（化合物IV−８の合成）
アセトニトリル４５ｍｌ中に、３−オキソ−酪酸−ｎ−ヘキシルエステルを７．９ｇ（０．０４２９９モル）と塩化カルシウム９．４ｇ（０．０８４５８モル）の９ｍｌ水溶液およびトリエチルアミン１２．８ｇ（０．１２６９モル）を加え１時間攪拌した後、４−（４−ｔｅｒｔ−ブチルフェノキシ）酪酸クロリド１１．３ｇ（０．０４４４０モル）を内温３０−３５℃に保ちながらおよそ２０分かけ滴下した。滴下後さらに２時間攪拌した後、反応液を水洗、濃縮したのち。カラムクロマトグラフィー（ヘキサン／酢酸エチル）により精製を行い、化合物IV−８を１３．３ｇ（収率７８．３％）得た。なお、構造の同定は、1Ｈ−ＮＭＲとマススペクトルを用いて行った。
【０１０１】
合成例２（化合物IV−１９の合成）
合成例１の３−オキソ−酪酸−ｎ−ヘキシルエステルの代わりに３−オキソ−酪酸−ｎ−ブチルエステルを６．８ｇ（０．０４２９９モル）用いた以外は同様の処方で反応、後処理、精製を行い、化合物IV−１９を１６．０ｇ（収率８５．９％）を得た。
【０１０２】
合成例３（化合物IV−２２の合成）
合成例１の３−オキソ−酪酸−ｎ−ヘキシルエステルの代わりに３−オキソ−酪酸−４−ｔｅｒｔ−ブチルフェニルエステルを９．３ｇ（０．０３９５３ｇ）用いた以外は同様の処方で反応、後処理、精製を行い、化合物IV−２２を１４．６ｇ（収率８１．６％）を得た。
【０１０３】
合成例４（化合物IV−４７の合成）
合成例１の３−オキソ−酪酸−ｎ−ヘキシルエステルの代わりに３−オキソ−酪酸−ｉｓｏ−ヘキサデシルエステルを１４．０ｇ、４−（４−ｔｅｒｔ−ブチルフェノキシ）酪酸クロリドの代わりに４−（４−シアノフェノキシ）酪酸クロリドを９．９ｇ用いた以外は同様の処方で反応、後処理、精製を行い、化合物IV−４７を１８．３ｇ（収率８３．０％）得た。
【０１０４】
合成例５（金属イオン含有化合物VI−８の合成）
３０ｍｌのメタノール中に酢酸ニッケル４水和物３．２ｇ（０．０１３０５モル）を溶解させた後、化合物IV−８の１０．６ｇ（０．０２６１１モル）を５分かけ滴下した。室温で１時間反応させた後、約二時間氷冷し、析出した結晶を濾取した。結晶をヘプタンで洗浄後、約１２０ｍｌのメタノールで再結晶し、金属イオン含有化合物VI−８を８．６ｇ（収率７６．２％）得た。融点は６７−６２℃であった。
【０１０５】
合成例６（金属イオン含有化合物VII−８の合成）
合成例５の酢酸ニッケル４水和物の代わりに酢酸銅１水和物を用いた以外は合成例５と同様に反応、後処理、精製を行い、金属イオン含有化合物VII−８を７．６ｇ（収率６８．３％）得た。融点は７１−７３℃であった。
【０１０６】
合成例７（金属イオン含有化合物VI−１９の合成）
合成例５の化合物IV−８の代わりに化合物IV−１９を１１．３ｇ（０．０２６１１モル）用いた以外は合成例５と同様に反応、後処理、精製を行い、金属イオン含有化合物VI−１９を１１．３ｇ（収率９４．０％）得た。融点は６５−６７℃であった。
【０１０７】
合成例８（金属イオン含有化合物VI−４７の合成）
合成例５の化合物IV−８の代わりに化合物IV−４７を１８．３ｇ（０．０３５６２モル）用いた以外は合成例５と同様に反応、後処理、精製を行い、金属イオン含有化合物VI−１９を１８．１ｇ（収率９３．８％）得た。融点は６４−６９℃であった。
【０１０８】
同様にして作製した金属イオン含有化合物の一覧表を下記表１に示す。
【０１０９】
【表１】
2006315390.tif 000057
【０１１０】
本発明の感熱転写記録材料において、一般式（Ｉ）または（III）で表される色素以外に使用する色素は得に制限はないが、好ましくは下記一般式（１）、（２）および一般式（４）で表される色素が挙げられる
【０１１１】
【化５６】
2006315390.tif 000058
【０１１２】
式中、Ｒ111及びＲ112は各々、水素原子又は置換基を表し、Ｒ113は置換基を有してもよいアルキル基又はアリール基を表し、Ｚは２個の炭素原子と共に５〜６員の芳香族環を構成するに必要な原子群を表す。
【０１１３】
一般式（１）においてＲ111及びＲ112で表される置換基としては、例えばハロゲン原子、アルキル基（炭素数１〜１２のアルキル基で、酸素原子、窒素原子、硫黄原子もしくはカルボニル基で連結する置換基が置換するか、又はアリール基、アルケニル基、アルキニル基、ヒドロキシル基、アミノ基、ニトロ基、カルボキシル基、シアノ基もしくはハロゲン原子が置換していてもよい。例えば、メチル、イソプロピル、ｔ−ブチル、トリフルオロメチル、メトキシメチル、２−メタンスルホニルエチル、２−メタンスルホンアミドエチル、シクロヘキシル等）、アリール基（例えばフェニル、４−ｔ−ブチルフェニル、３−ニトロフェニル、３−アシルアミノフェニル、２−メトキシフェニル等）、シアノ基、アルコキシル基、アリールオキシ基、アシルアミノ基、アニリノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、複素環オキシ基、アシルオキシ基、カルバモイルオキシ基、シリルオキシ基、アリールオキシカルボニルアミノ基、イミド基、複素環チオ基、ホスホニル基、アシル基等が挙げられる。
【０１１４】
Ｒ113で表されるアルキル基及びアリール基としては、Ｒ111及びＲ112で表されるアルキル基、アリール基と同じものを挙げることができる。
【０１１５】
Ｚで表される２個の炭素原子と共に構成される５〜６員の芳香族環としては、具体的にはベンゼン、ピリジン、ピリミジン、トリアジン、ピラジン、ピリダジン、ピロール、フラン、チオフェン、ピラゾール、イミダゾール、トリアゾール、オキサゾール、チアゾールなどの環を挙げることができ、これらの環は更に他の芳香族環と縮合環を形成してもよい。これらの環上には置換基を有していてもよく、該置換基としてはＲ1で表される置換基と同じものを挙げることができる。
【０１１６】
本発明に用いられる一般式（１）で表される色素は、例えば下記一般式（Ｂ）で表される化合物をＣｈｅｍｉｃａｌ  Ｒｅｖｉｅｗｓ，Ｖｏｌ．７５，２４１（１９７５）に記載の方法に準じてジアゾ化し、下記一般式（Ｃ）で表される化合物との公知のカップリング反応に従って製造することができる。
【０１１７】
【化５７】
2006315390.tif 000059
【０１１８】
式中、Ｒ111、Ｒ112、Ｒ113及びＺは、それぞれ前記一般式（１）のＲ111、Ｒ112、Ｒ113及びＺと同義である。
【０１１９】
一般式（１）で表される色素の具体例としては、特開２００４−７４６１７号の段落番号００６５〜００６７に記載されている、化合物Ｎｏ．（１）−１〜（１）−３２、及び特開平５−１７７９５８号の段落番号００２３〜００２５に記載されている、色素Ｙ−１〜Ｙ−２３を挙げることができる。
【０１２０】
【化５８】
2006315390.tif 000060
【０１２１】
式中、Ｒ121は水素原子、ハロゲン原子又は１価の置換基を表し、Ｒ122は、それぞれ置換されてもよい芳香族炭素環基又は芳香族複素環基を表す。Ｘはメチン基又は窒素原子を表す。Ｒ123は下記一般式（３）を表し、Ｙは含窒素芳香族複素環を形成する原子群を表し、Ｘ1は炭素原子又は窒素原子を表す。
【０１２２】
【化５９】
2006315390.tif 000061
【０１２３】
一般式（２）においてＲ121は水素原子、ハロゲン原子（弗素、塩素等）又は１価の置換基を表すが、１価の置換基としては、それぞれ更に置換されてもよいアルキル基、アリール基、芳香族複素環基、アシル基、アミノ基、ニトロ基、シアノ基、アシルアミノ基、アルコキシ基、ヒドロキシル基、アルコキシカルボニル基等が挙げられる。
【０１２４】
Ｒ122は置換されてもよい芳香族炭素環基又は芳香族複素環基を表すが、好ましくはベンゼン環、ピリジン環、ピリミジン環、フラン環、チオフェン環、チアゾール環、イミダゾール環、ナフタレン環等の残基が挙げられる。これらの環残基は更に他の炭素環（例えばベンゼン環）や複素環（例えばピリジン環）と縮合環を形成してもよい。環上の置換基としては、アルキル基、アリール基、アシル基、アミノ基、ニトロ基、シアノ基、アシルアミノ基、アルコキシ基、ヒドロキシル基、アルコキシカルボニル基、ハロゲン原子等であり、それらの基は更に置換されてもよい。Ｘはメチン基または窒素原子を表す。
【０１２５】
Ｒ123は一般式（３）を表す。この一般式（３）は置換基を有してもよい含窒素芳香族複素環残基を表し、該複素環としては、ピラゾール、イミダゾール、オキサゾール、チアゾール、イソオキサゾール、トリアゾール、ピリジン、ピリダジン、ピリミジン、ピラジン、トリアジン、ベンズイミダゾール、ベンゾチアゾール、ベンズオキサゾール、キノリン、イソキノリン等が好ましい。これらの環は更に他の炭素環（例えばベンゼン環）や複素環（例えばピリジン環）と縮合環を形成してもよい。
【０１２６】
環上の置換基としては、アルキル基、アリール基、アシル基、アミノ基、ニトロ基、シアノ基、アシルアミノ基、アルコキシ基、ヒドロキシル基、アルコキシカルボニル基、ハロゲン原子等が挙げられ、それらの置換基は更に置換されてもよい。Ｘ1は炭素原子又は窒素原子を表す。
【０１２７】
Ｙは窒素芳香族複素環を形成する原子群を表すが、好ましくは５〜６員の複窒素芳香族複素環を形成する原子団であり、該環上には更に置換基を有してもよい。
【０１２８】
環上の置換基の例としてはＲ122の好ましい例を挙げることが出来る。
【０１２９】
本発明に用いられる一般式（２）で表される色素は、従来公知の方法に準じて合成することが出来る。例えば、一般式（２）中のアゾメチン色素は特開昭６３−１１３０７７号、特開平３−２７５７６７号、同４−８９２８７号の各明細書に記載の酸化カップリング方法に準じて合成することが出来る。
【０１３０】
一般式（２）で表される色素の具体例としては、特開２００４−７４６１７号の段落番号００７４〜００７８に記載されている、色素（２）−１〜（２）−３８及び特開平９−２２６２５９号段落番号００２６〜００２８に記載されている、色素III−１〜III−３８を挙げることができる。
【０１３１】
【化６０】
2006315390.tif 000062
【０１３２】
式中、Ｒ131及びＲ132はそれぞれ、置換又は無置換の脂肪族基を表し、Ｒ133は置換基を表す。ｎは０〜４の整数を表し、ｎが２以上の時、複数のＲ133は同じでも異なってもよい。Ｒ134、Ｒ135およびＲ136はいずれもアルキル基を表す。この時、Ｒ134、Ｒ135およびＲ136は同一でも異なっていてもよい。但し、Ｒ135、Ｒ136は炭素数３から８のアルキル基である。
【０１３３】
一般式（４）においてＲ131およびＲ132は置換または無置換の脂肪族基を表し、Ｒ131およびＲ132は同じでも異なっていてもよい。脂肪族基の例としては、アルキル基、シクロアルキル基、アルケニル基、アルキニル基等が挙げられる。アルキル基の例としてはメチル基、エチル基、プロピル基、ｉ−プロピル基などを挙げることができ、これらのアルキル基を置換しうる基としては、直鎖あるいは分岐のアルキル基（例えばメチル基、エチル基、ｉ−プロピル基、ｔ−ブチル基、ｎ−ドデシル基、および１−ヘキシルノニル基等）、シクロアルキル基（例えばシクロプロピル基、シクロヘキシル基、ビシクロ［２．２．１］ヘプチル基、およびアダマンチル基等）、およびアルケニル基（例えば２−プロピレン基、オレイル基等）、アリール基（例えばフェニル基、オルト−トリル基、オルト−アニシル基、１−ナフチル基、９−アントラニル基等）、複素環基（例えば２−テトラヒドロフリル基、２−チオフェニル基、４−イミダゾリル基、および２−ピリジル基等）、ハロゲン原子（例えばフッ素原子、塩素原子、臭素原子等）、シアノ基、ニトロ基、ヒドロキシ基、カルボニル基（例えばアセチル基、トリフルオロアセチル基、ピバロイル基等のアルキルカルボニル基、ベンゾイル基、ペンタフルオロベンゾイル基、３，５−ジ−ｔ−ブチル−４−ヒドロキシベンゾイル基等のアリールカルボニル基等）、オキシカルボニル基（例えばメトキシカルボニル基、シクロヘキシルオキシカルボニル基、ｎ−ドデシルオキシカルボニル基等のアルコキシカルボニル基、フェノキシカルボニル基、２，４−ジ−ｔ−アミルフェノキシカルボニル基、１−ナフチルオキシカルボニル基等のアリールオキシカルボニル基、および２−ピリジルオキシカルボニル基、１−フェニルピラゾリル−５−オキシカルボニル基などの複素環オキシカルボニル基等）、カルバモイル基（例えばジメチルカルバモイル基、４−（２，４−ジ−ｔ−アミルフェノキシ）ブチルアミノカルボニル基等のアルキルカルバモイル基、フェニルカルバモイル基、１−ナフチルカルバモイル基等のアリールカルバモイル基）、アルコキシ基（例えばメトキシ基、２−エトキシエトキシ基等）、アリールオキシ基（例えばフェノキシ基、２，４−ジ−ｔ−アミルフェノキシ基、４−（４−ヒドロキシフェニルスルホニル）フェノキシ基等）、複素環オキシ基（例えば４−ピリジルオキシ基、２−ヘキサヒドロピラニルオキシ基等）、カルボニルオキシ基（例えばアセチルオキシ基、トリフルオロアセチルオキシ基、ピバロイルオキシ基等のアルキルカルボニルオキシ基、ベンゾイルオキシ基、ペンタフルオロベンゾイルオキシ基等のアリールオキシ基等）、ウレタン基（例えばＮ，Ｎ−ジメチルウレタン基等のアルキルウレタン基、Ｎ−フェニルウレタン基、Ｎ−（ｐ−シアノフェニル）ウレタン基等のアリールウレタン基）、スルホニルオキシ基（例えばメタンスルホニルオキシ基、トリフルオロメタンスルホニルオキシ基、ｎ−ドデカンスルホニルオキシ基等のアルキルスルホニルオキシ基、ベンゼンスルホニルオキシ基、ｐ−トルエンスルホニルオキシ基等のアリールスルホニルオキシ基）、アミノ基（例えばジメチルアミノ基、シクロヘキシルアミノ基、ｎ−ドデシルアミノ基等のアルキルアミノ基、アニリノ基、ｐ−ｔ−オクチルアニリノ基等のアリールアミノ基等）、スルホニルアミノ基（例えばメタンスルホニルアミノ基、ヘプタフルオロプロパンスルホニルアミノ基、ｎ−ヘキサデシルスルホニルアミノ基等のアルキルスルホニルアミノ基、ｐ−トルエンスルホニルアミノ基、ペンタフルオロベンゼンスルホニルアミノ等のアリールスルホニルアミノ基）、スルファモイルアミノ基（例えばＮ，Ｎ−ジメチルスルファモイルアミノ基等のアルキルスルファモイルアミノ基、Ｎ−フェニルスルファモイルアミノ基等のアリールスルファモイルアミノ基）、アシルアミノ基（例えばアセチルアミノ基、ミリストイルアミノ基等のアルキルカルボニルアミノ基、ベンゾイルアミノ基等アリールカルボニルアミノ基）、ウレイド基（例えばＮ，Ｎ−ジメチルアミノウレイド基等のアルキルウレイド基、Ｎ−フェニルウレイド基、Ｎ−（ｐ−シアノフェニル）ウレイド基等のアリールウレイド基）、スルホニル基（例えばメタンスルホニル基、トリフルオロメタンスルホニル基等のアルキルスルホニル基、およびｐ−トルエンスルホニル基等のアリールスルホニル基）、スルファモイル基（例えばジメチルスルファモイル基、４−（２，４−ジ−ｔ−アミルフェノキシ）ブチルアミノスルホニル基等のアルキルスルファモイル基、フェニルスルファモイル基等のアリールスルファモイル基）、アルキルチオ基（例えばメチルチオ基、ｔ−オクチルチオ基等）、アリールチオ基（例えばフェニルチオ基等）、および複素環チオ基（例えば１−フェニルテトラゾール−５−チオ基、５−メチル−１，３，４−オキサジアゾール−２−チオ基等）等が挙げられる。
【０１３４】
シクロアルキル基、アルケニル基の例としては、上記置換基と同様である。また、アルキニル基の例としては、１−プロピン、２−ブチン、１−ヘキシン等が挙げられる。
【０１３５】
Ｒ131、Ｒ132で非芳香族性の環状構造（例えばピロリジン環、ピペリジン環、モルホリン環等）を形成するのも好ましい。
【０１３６】
Ｒ133は上記置換基の中でもアルキル基、シクロアルキル基、アルコキシ基、アシルアミノ基が好ましい。ｎは０〜４の整数を表し、ｎが２以上の場合、複数のＲ133は同じでも異なっていてもよい。
【０１３７】
Ｒ134はアルキル基であり、その例としては、メチル基、エチル基、ｉ−プロピル基、ｔ−ブチル基、ｎ−ドデシル基、および１−ヘキシルノニル基等が挙げられる。Ｒ134は好ましくは２級または３級アルキル基であり、好ましい２級または３級のアルキル基の例としてはイソプロピル基、ｓｅｃ−ブチル基、ｔｅｒｔ−ブチル基、３−ヘプチル基などが挙げられる。Ｒ134として最も好ましい置換基はイソプロピル基、ｔｅｒｔ−ブチル基である。Ｒ134のアルキル基は、置換されていても良いが、すべて炭素原子と水素原子からなる置換基で置換されており、その他の原子を含む置換基で置換されるものではない。
【０１３８】
Ｒ135はアルキル基であり、その例としては、ｎ−プロピル基、ｉ−プロピル基、ｔ−ブチル基、ｎ−ドデシル基、および１−ヘキシルノニル基等が挙げられる。Ｒ135は好ましくは２級または３級アルキル基であり、好ましい２級または３級のアルキル基の例としてはイソプロピル基、ｓｅｃ−ブチル基、ｔｅｒｔ−ブチル基、３−ヘプチル基などが挙げられる。Ｒ135として最も好ましい置換基はイソプロピル基、ｔｅｒｔ−ブチル基である。Ｒ135のアルキル基は、置換されていても良いが、すべて炭素原子と水素原子からなる置換基で置換されており、その他の原子を含む置換基で置換されるものではない。
【０１３９】
Ｒ136はアルキル基を表し、その例としてはｎ−プロピル基、ｎ−ブチル基、ｎ−ペンチル基、ｎ−ヘキシル基、ｎ−へプチル基、イソプロピル基、ｓｅｃ−ブチル基、ｔｅｒｔ−ブチル基、３−ヘプチル基などが挙げられる。Ｒ136として特に好ましい置換基は炭素数３以上の直鎖のアルキル基であり、その例としてはｎ−プロピル基、ｎ−ブチル基、ｎ−ペンチル基、ｎ−ヘキシル基、ｎ−へプチル基であり、最も好ましくはｎ−プロピル基、ｎ−ブチル基である。なお、Ｒ136のアルキル基は、置換されていても良いが、すべて炭素原子と水素原子からなる置換基で置換されており、その他の原子を含む置換基で置換されるものではない。
【０１４０】
本発明に用いられる一般式（４）で表される色素は、従来公知の方法に準じて合成することが出来る。例えば特開２００１−３３４７５５号、特開２００２−２３４２６６号等の各明細書に記載の酸化カップリング方法に準じて合成することが出来る。
【０１４１】
一般式（４）で表される色素の具体例としては、特開２００４−７４６１７号の段落番号００８８〜００９３に記載されている、色素（４）−１〜（４）−３６、及び特開２００２−２３４２６６号に記載されている、色素１〜３６を挙げることができる。
【０１４２】
次に、本発明の感熱転写記録材料、熱転写シート、感熱転写記録方法について説明する。
【０１４３】
（熱転写シート：リボン支持体）
支持体は、従来の熱転写シートに使用されている物と同じ支持体をそのまま用いることが出来、特に限定される物ではない。好ましい支持体の具体例としては、グラシン紙、コンデンサー紙、パラフィン紙等の薄紙、ポリエチレンテレフタレート、ポリフェニレンサルファイド、ポリエーテルケトン、ポリエーテルサルフォン等の耐熱性の高いポリエステル、ポリプロピレン、ポリカーボネイト、酢酸セルロース、ポリエチレン誘導体、ポリ塩化ビニル、ポリ塩化ビニリデン、ポリスチレン、ポリアミド、ポリイミド、ポリメチルペンテン、アイオノマー等のプラスチックの延伸或いは未延伸フィルムや、これらの材料を積層したものなどが挙げられる。
【０１４４】
この支持体の厚さは、強度、熱伝導性、耐熱性等が適切になるように材料に応じて適宜選択することが出来るが、通常は１〜１００μｍ程度のものが好ましく用いられる。上記のごとき支持体は、この表面に形成する色素供与層との密着が乏しい場合には、その表面にプライマー処理や、コロナ処理を施すことが好ましい。
【０１４５】
（熱転写シート：リボン色素供与層）
本発明において、支持体の一方の面に設ける色素供与層に含有させる熱拡散性染料としては、良好な画像保存性を得られる観点から、反応型の染料を用いることができる。
【０１４６】
本発明において、反応型の染料とは、前述のごとく、色素供与層側に含有させた染料前駆体と受像層側に含有させた染料定着体を熱転写により反応させることによって画像を形成させるような染料を示す。具体的には、前述のものも含め公知の反応型の染料を用いることが可能であるが、本発明においては画像保存性に特に優れるという観点から、ポストキレート染料（キレート化可能な染料）と、メタルソースの組み合わせを用いることが好ましい。
【０１４７】
ポストキレート染料としては、熱転写が可能であれば特に制限はなく、公知の各種の化合物を適宜に選定して使用することができる。具体的には、例えば特開昭５９−７８８９３号公報、同５９−１０９３４９号公報、特開平４−９４９７４号、同４−９７８９４号、同４−８９２９２号、同１０−２５８５８０号、特開２０００−１０５７号、特開２００２−２３４２６６号に記載されているシアン染料、マゼンタ染料、イエロー染料などを使用することができる。
【０１４８】
本発明で使用される染料は一般式（Ｉ）又は（III）で表される化合物以外に前述の一般式（１）、（２）または（４）が好ましく、詳細は前述に記載のとおりである。
【０１４９】
本発明に用いられるポストキレート染料の添加量は、通常、染料固形分１ｍ2に対し、０．１ｇ〜２０ｇが好ましく、更に０．２ｇ〜５ｇがより好ましい。
【０１５０】
色素供与層に用いられるバインダー樹脂は、セルロース系、ポリアクリル酸系、ポリビニルアルコール系、ポリビニルピロリドン系等の水溶性ポリマー、アクリル樹脂、メタクリル樹脂、ポリスチレン、ポリカーボネイト、ポリスルホン、ポリエーテルスルホン、ポリビニルブチラール、ポリビニルアセタール、エチルセルロース、ニトロセルロース等の有機溶媒に可溶のポリマーが有る。これらの樹脂の中でも、保存性の優れたポリビニルブチラール、ポリビニルアセタールあるいはセルロース系樹脂が好ましい。有機溶剤に可溶のポリマーを用いる場合、１種又は２種以上を有機溶媒に溶解して用いるだけでなく、ラテックス分散の形で使用してもよい。バインダー樹脂の使用量としては、支持体１ｍ2あたり０．１ｇ〜５０ｇが好ましい。
【０１５１】
又、受像層との離型性を向上させるために、離型剤を添加、あるいは離型層を設けてもよい。離型剤としては、反応硬化型シリコーン、燐酸エステル系界面活性剤、フッ素化合物等を用いることが出来る。離型剤の使用量は、含有させる層の固形分に対し、０．５〜４０質量％が好ましい。又、離型層を設ける場合、バインダーは上記色素供与層に用いられるものと同様のものが使用可能である。
【０１５２】
（熱転写シート：リボンＢＣ層）
支持体の、色素供与層を設けた面とは反対側の面に、耐熱性を付与するための背面層を設けることも好ましい。
【０１５３】
（熱転写シート：リボン保護層）
本発明の熱転写記録では、記録媒体において染料転写後の表面に、熱転写によって形成される透明性層を設けることができる。
【０１５４】
本発明に用いられる保護層は、前記色素供与層と同一面上に、いわゆる面順次で設けることも出来る。保護層を単独で、保護層転写シートとして用いる場合は、支持体や背面層は上述したものと同様のものを用いることが出来る。
【０１５５】
本発明において、熱転写性の保護層は、支持体上に非転写性の離型層を介して設けることが好ましい。
【０１５６】
非転写性離型層は上記プライマー層等を介して設けても、また介すことなく設けても良い。
【０１５７】
非転写性離型層は、支持体と非転写性離型層との間の接着力を、非転写性離型層と熱転写性保護層との間に接着力よりも常に充分高くし、且つ、熱を印加する前の非転写性離型層と熱転写性保護層との間の接着力が、熱印加後のそれに対し高くなるようにする目的で、
（１）樹脂バインダーと共に、平均粒子径が４０ｎｍ以下の無機微粒子を３０〜８０質量％含有しているか、
（２）アルキルビニルエーテル・無水マレイン酸共重合体、その誘導体、或いはそれらの混合物を合計２０質量％以上の割合で含有しているか、或いは
（３）アイオノマーを２０質量％以上の割合で含有している、ことが好ましい。非転写性離型層には、必要に応じて他の添加物が含有されていてもよい。
【０１５８】
無機微粒子としては、例えば、無水シリカ、コロイダルシリカ等のシリカ微粒子や、酸化錫、酸化亜鉛、アンチモン酸亜鉛等の金属酸化物を使用することが出来る。無機微粒子の粒子径は、４０ｎｍ以下とすることが好ましい。４０ｎｍを越えると、離型層表面の凹凸に起因して熱転写性保護層の表面の凹凸も大きくなり、その結果保護層の透明性が低下してしまい好ましくない。
【０１５９】
無機微粒子と混合する樹脂バインダーは特に制限されず、混合可能なあらゆる樹脂を用いることが出来る。例えば、各種ケン化度のポリビニルアルコール樹脂（ＰＶＡ）；ポリビニルアセタール樹脂；ポリビニルブチラール樹脂；アクリル系樹脂；ポリアミド系樹脂；酢酸セルロース、アルキルセルロース、カルボキシメチルセルロース、ヒドロキシアルキルセルロース等のセルロース系樹脂；ポリビニルピロリドン樹脂等が挙げられる。
【０１６０】
無機微粒子と樹脂バインダーを主体とする他の配合成分との配合比（無機微粒子／他の配合成分）は、質量比で３０：７０以上、８０：２０以下の範囲とすることが好ましい。配合比が３０：７０未満になると、無機微粒子の効果が不十分となり、一方８０：２０を越えると離型層が完全な膜とならず、支持体と保護層が直接触れる部分が生じてしまう。
【０１６１】
アルキルビニルエーテル・無水マレイン酸共重合体又はその誘導体としては、例えば、アルキルビニルエーテル部分のアルキル基がメチル基或いはエチル基であるもの、無水マレイン酸部分が部分的に又は完全にアルコール（例えばメタノール、エタノール、プロパノール、イソプロパノール、ブタノール、イソブタノール等）とのハーフエステルとなったものを用いることができる。
【０１６２】
離型層は、アルキルビニルエーテル・無水マレイン酸共重合体、その誘導体、或いはそれらの混合物だけで形成しても良いが、離型層と保護層の間の剥離力を調整する目的で、他の樹脂又は微粒子をさらに加えても良い。その場合、離型層には、アルキルビニルエーテル・無水マレイン酸共重合体、その誘導体、或いはそれらの混合物が２０質量％以上含有されているのが望ましい。含有量が２０質量％未満になると、アルキルビニルエーテル・無水マレイン酸共重合体又はその誘導体の効果が十分に得られなくなる。
【０１６３】
アルキルビニルエーテル・無水マレイン酸共重合体又はその誘導体に配合される樹脂又は微粒子としては、混合可能で、被膜形成時に高い膜透明性が得られるもので有れば特に限定されず、あらゆる材料を用いることが出来る。例えば、前述の無機微粒子及び無機微粒子と混合可能な樹脂バインダーは好ましく用いられる。
【０１６４】
アイオノマーとしては、例えば、サーリンＡ（デュポン社製）や、ケミパールＳシリーズ（三井石油化学社製）等を使用することができる。また、アイオノマーには、例えば、前述の無機微粒子、無機微粒子と混合可能な樹脂バインダー、或いはその他の樹脂や微粒子をさらに加えることが出来る。
【０１６５】
非転写性離型層を形成するには、上記（１）乃至（３）いずれかの成分を所定の配合割合で含有する塗布液を作製し、かかる塗布液を、グラビアコート法、グラビアリバースコート法のような公知の技術で支持体上に塗布し、塗布層を乾燥させる。非転写性離型層の厚みは、通常、乾燥後の厚みで０．１〜２μｍ程度とする。
【０１６６】
非転写性離型層を介して、あるいは介さずに支持体上に積層される熱転写性保護層は、多層構造をとっていてもよいし、単層構造をとっていてもよい。多層構造をとる場合には、画像に各種の耐久性を付与するための主体となる主保護層の他、熱転写性保護層と印画物の受像面との接着性を高めるために、熱転写性保護層の最表面に配置される接着層や、補助的な保護層や、保護層本来の機能以外の機能を付加するための層（例えば偽造防止層、ホログラム層等）が設けられてもよい。主保護層とその他の層の順序は任意であるが、通常は、転写後に主保護層が受像面の最表面となるように、接着層と主保護層との間に他の層を配置する。
【０１６７】
多層構造の熱転写性保護層の一層をなす主保護層、又は単層構造の熱転写性保護層は、従来から保護層形成用樹脂として知られている各種の樹脂で形成することができる。保護層形成用樹脂としては、例えば、ポリエステル樹脂、ポリスチレン樹脂、アクリル樹脂、ポリウレタン樹脂、アクリルウレタン樹脂、これらの各樹脂をシリコーン変性させた樹脂、これらの各樹脂の混合物、電離放射線硬化性樹脂、紫外線遮断性樹脂等を例示することができる。
【０１６８】
電離放射線硬化性樹脂を含有する保護層は、耐可塑剤性や耐擦過性が特に優れている。電離放射線硬化性樹脂としては公知のものを使用することができ、例えば、ラジカル重合性のポリマー又はオリゴマーを電離放射線照射により架橋、硬化させ、必要に応じて光重合開始剤を添加し、電子線や紫外線によって重合架橋させたものを使用することができる。
【０１６９】
紫外線遮断性樹脂を含有する保護層は、印画物に耐光性を付与することを主目的とする。紫外線遮断性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダードアミン系のような従来公知の非反応性の有機系紫外線吸収剤に、付加重合性二重結合（例えばビニル基、アクリロイル基、メタアクリロイル基等）、アルコール性水酸基、アミノ基、カルボキシル基、エポキシ基、イソシアネート基のような反応性基を導入したものを例示することができる。
【０１７０】
上記のごとき単層構造の熱転写性保護層又は多層構造の熱転写性保護層中に設けられた主保護層は、保護層形成用樹脂の種類にもよるが、通常は０．５〜１０μｍ程度の厚さに形成する。
【０１７１】
熱転写性保護層の最表面には接着層が形成されていても良い。接着層は、例えばアクリル樹脂、塩化ビニル系樹脂、酢酸ビニル系樹脂、塩化ビニル／酢酸ビニル共重合樹脂、ポリエステル系樹脂、ポリアミド系樹脂のような加熱時接着性の良好な樹脂で形成することができる。また、上記樹脂に加え、上述した電離放射線硬化性樹脂、紫外線遮断性樹脂などを必要に応じて混合してもよい。接着層の厚さは、通常０．１〜５μｍとする。
【０１７２】
非転写性離型層上あるいは支持体上に熱転写性保護層を形成するには、例えば、保護層形成用樹脂を含有する保護層用塗布液、熱接着性樹脂を含有する接着層用塗布液、その他必要に応じて付加される層を形成するための塗布液をあらかじめ作製し、それらを所定の順序で非転写性離型層上あるいは支持体上に塗布し、乾燥させる。各塗布液は従来公知の方法で塗布すればよい。また、各層の間には適切なプライマー層を設けても良い。
【０１７３】
さらに、前述の熱転写性保護層には染料前駆体としてポストキレート染料を用いた場合、染料転写後のキレート性を高める用途で、後述の染料定着体（金属イオン含有化合物：メタルソースとも呼ぶ）を含有させることも出来る。
【０１７４】
メタルソースの添加量は、樹脂層全固形分に対し０．０１〜１質量％が好ましく、特に好ましくは０．０５〜０．５質量％であるが、用途に応じて添加量は変えることが可能であるため、特に制限はない。
【０１７５】
（熱転写シート：リボンＭＳ層）
本発明の熱転写記録では、記録媒体において染料転写後の転写された表面と、非転写性の樹脂層の樹脂層表面を対面させ、非転写性樹脂層とは反対の側より熱を与えることで再加熱処理をすることができる。
【０１７６】
本発明に用いられる非転写性の樹脂層は、前記色素供与層と同一面上に、いわゆる面順次で設けることも出来る。非転写性樹脂層を単独でシートとして用いる場合は、支持体や背面層は上述したものと同様のものを用いることが出来る。
【０１７７】
非転写性樹脂層に用いられるバインダー樹脂は、色素供与層に用いたバインダー樹脂と同様のものを用いることができる。
【０１７８】
非転写性樹脂層を、色素供与層と面順次に設ける場合には、樹脂層に微粒子を含有することが好ましい。これは塗布後ロール状態で保存した際に、背面層に染料がわずかながら移行し、製品形態で小巻にした時に、この背面層に移行した染料が、非転写性樹脂層へ再転写するという、いわゆるキックバックという現象が生じるのを防止する目的で行われる。キックバックが生じると、樹脂層へ再転写した染料が、印画時受像面を着色することになり、画質を著しく損なう。微粒子としては、シリカ、アルミナ、炭酸カルシウム等の無機体質願用の他に、アクリル樹脂、フッ素樹脂、ポリエチレン樹脂、ポリスチレン樹脂などの樹脂微粒子、あるいはワックス粒子等が使用できる。これら微粒子の粒径は、好ましくは０．１〜５０μｍとする。０．１μｍ以下では樹脂層表面の凹凸が少なすぎて、キックバックに対する効果がなく、また５０μｍ以上では印画後の画像表面を荒らしてしまい、画質を損なう。上記微粒子の好ましい添加量としては、樹脂層全固形分に対し１〜５０質量％であり、特に好ましくは５〜３０質量％である。１％以下では樹脂層表面の凹凸が少なすぎてキックバックに対する効果が少なく、また５０％以上では印画後の画像表面を荒らしてしまい、画質を損なう。
【０１７９】
本発明の感熱転写記録材料、もしくは熱転写シートにおいて、再加熱処理時に反応型染料の反応を完結させるための目的として、樹脂層中に染料定着体を含有させるか、あるいは染料定着体を含有させた層を設ける。染料定着体を含有させた層を設ける場合のバインダーは色素供与層に用いたバインダー樹脂と同様のものを用いることができる。染料前駆体としてポストキレート染料を用いた場合、染料定着体としてメタルソースを含有させることが好ましい。
【０１８０】
本発明に用いられる金属イオン含有化合物（メタルソース）としては、前述の化合物が好ましく、詳細は前述のとおりである。
【０１８１】
（熱転写受像シート中間層）
受像層と支持体との間には、少なくとも１層以上の中間層を設けても良い。中間層は、接着層（プライマー層）、バリアー層、紫外線吸収層、発泡層、帯電防止層等、受像層と支持体の間に設ける層すべてを意味し、公知のものは、必要に応じていずれも使用できる。さらに、支持体のギラツキ感やムラを隠蔽するために、中間層に酸化チタン等の白色顔料を添加すると、支持体の選択の自由度が広がるので好ましい。中間層樹脂と白色顔料との含有量は、樹脂固形分１００質量部に対し、白色顔料固形分３０〜３００質量部が好ましいが、隠蔽性を高めるには１００〜３００質量部の範囲で用いることがさらに好ましい。
【０１８２】
中間層としては、熱可塑性樹脂、熱硬化性樹脂、或いは官能基を有する熱可塑性樹脂を、各種の添加剤その他の手法を用いて硬化させた層を用いることができる。具体的には、ポリビニルアルコール、ポリビニルピロリドン、ポリエステル、塩素化ポリプロピレン、変性ポリオレフィン、ウレタン樹脂、アクリル樹脂、ポリカーボネイト、アイオノマー、単官能及び／又は多官能水酸基含有のプレポリマーをイソシアネート等で硬化させた樹脂等を使用することが出来る。
【０１８３】
（熱転写受像シート受像層）
受像層は支持体の一方の面に、染料定着体とバインダー樹脂と、必要に応じて離型剤等の各種添加剤から構成されている。染料前駆体としてポストキレート染料を用いた場合、染料定着体としてメタルソースを含有させる。前述の様に、キレート色素を染料として用いる場合、メタルソースは添加しなくても良いし、適宜添加されていても良い。メタルソースは、上述した非転写性樹脂層で使用するものが同様に使用できる。メタルソースの添加量は、通常、受像層固形分に対し１０〜６０質量％が好ましく、２０〜５０質量％がより好ましい。
【０１８４】
バインダー樹脂は公知のものを用いることができ、染料が染着しやすいものを用いることが好ましい。具体的にはポリプロピレン等のポリオレフィン樹脂、ポリ塩化ビニル、ポリ塩化ビニリデン等のハロゲン化樹脂、ポリ酢酸ビニル、ポリアクリル酸エステルなどのビニル系樹脂、ポリエチレンテレフタレート、ポリブチレンテレフタレートなどのポリエステル樹脂、ポリスチレン系樹脂、ポリアミド系樹脂、フェノキシ樹脂、エチレンやプロピレンなどのオレフィンと他のビニル系モノマーとの共重合体、ポリウレタン、ポリカーボネイト、アクリル樹脂、アイオノマー、セルロース誘導体等の単体、又は混合物を用いることができ、これらの中でもポリエステル系樹脂、及びビニル系樹脂が好ましい。
【０１８５】
上記受像層は、色素供与層との熱融着を防止するために、離型剤を添加することが好ましい。離型剤としては、燐酸エステル系可塑剤、フッ素系化合物、シリコーンオイル（反応硬化型シリコーンを含む）等を使用することができるが、この中でもシリコーンオイルが好ましい。シリコーンオイルとしては、ジメチルシリコーンを始め各種の変性シリコーンを用いることができる。具体的には、アミノ変性シリコーン、エポキシ変性シリコーン、アルコール変性シリコーン、ビニル変性シリコーン、ウレタン変性シリコーン等を用い、これらをブレンドしたり、各種の反応を用いて重合させて用いることもできる。離型剤は１種もしくは２種以上のものが使用される。また、離型剤の添加量は、受像層形成用樹脂１００質量部に対し、０．５〜３０質量部が好ましい。この添加量の範囲を満たさない場合は、熱転写シートと熱転写受像シートの受像層との融着もしくは印画感度低下などの問題が生じる場合がある。尚、これらの離型剤は受像層に添加せず、受像層上に別途離型層として設けても良い。
【０１８６】
（熱転写受像シートＢＣ層その他）
更に熱転写受像シートの機械搬送性向上、帯電防止、筆記性付与、切手貼着性などを目的とした化合物を含有されても良い。帯電防止機能を得るためには、アクリル樹脂のような導電性樹脂や導電性フィラーからなる層を、さらには脂肪酸エステル、硫酸エステル、燐酸エステル、アミド類、４級アンモニウム塩、ベタイン類、アミノ酸類、エチレンオキサイド付加類などの、帯電防止剤を添加した層を形成しても良い。
【０１８７】
帯電防止剤の使用量は、帯電防止剤を添加する層、及び、帯電防止剤の種類によって異なるが、いずれの場合にも熱転写受像シートの表面電気抵抗値が１０13オーム／ｃｍ2以下が好ましい。１０13オーム／ｃｍ2より大きい場合には、静電密着により、熱転写受像シート同志が貼りつき、給紙トラブルの原因となる。量的には０．０１〜３．０ｇ／ｍ2の使用量が好ましい。帯電防止剤の使用量が０．０１ｇ／ｍ2以下では、帯電防止効果が不十分であり、一方、３．０ｇ／ｍ2以上では多すぎて不経済であり、またべたつきなどの問題が発生する場合がある。
【０１８８】
筆記層は、熱転写受像シートの全面に設けても良いし、部分的に形成しても良い。また、搬送性を向上させる目的として、ナイロン樹脂粒子や、更に高級脂肪酸塩の添加も効果的である。ナイロン樹脂粒子としては、例えばナイロン１２、ナイロン６等の粒子が挙げられる。これらのナイロン樹脂粒子は単独で使用されても、また２種類以上を併用していも良い。
【０１８９】
高級脂肪酸塩としては、例えばステアリン酸カルシウム、ステア燐酸マグネシウム、ステアリン酸バリウム、ステア燐酸亜鉛などが使用できる。
【０１９０】
筆記層の形成手段は従来公知の印刷塗工手段でよい。筆記層の厚さは、乾燥時で０．５〜２０ｇ／ｍ2程度である。
【０１９１】
（熱転写受像シート支持体）
支持体は、受像層を保持するという役割を有するとともに、熱転写時には熱が加えられるため、過熱された状態でも取り扱い上支障のない程度の機械的強度を有することが好ましい。
【０１９２】
このような支持体の材料は特に限定されず、例えば、コンデンサーペーパー、グラシン紙、硫酸紙、またはサイズ度の高い紙、合成紙（ポリオレフィン系、ポリスチレン系）、上質紙、アート紙、コート紙、キャストコート紙、壁紙、裏打用紙、合成樹脂又はエマルジョン含浸紙、合成ゴムラテックス含浸紙、合成樹脂内添紙、板紙等、セルロース繊維紙、あるいはポリエステル、ポリアクリレート、ポリカーボネイト、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン、パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等のフィルムが挙げられ、また、これらの合成樹脂に白色顔料や充填剤を加えて成膜した白色不透明フィルムあるいは発泡させた発泡シートも使用でき、特に限定されない。
【０１９３】
また、上記支持体の任意の組み合わせによる積層体も使用できる。代表的な積層体の例として、セルロース繊維紙と合成紙或いはセルロース合成紙とプラスチックフィルムとの合成紙が挙げられる。これらの支持体の厚みは任意でよく、通常１０〜３００μｍ程度である。
【０１９４】
より高い印字感度を有すると共に、濃度ムラや白抜けのない高画質を得るためには、微細空隙を有する層を存在させることが好ましい。微細空隙を有する層としては、内部に微細空隙を有するプラスチックフィルムや合成紙を用いることが出来る。また、各種支持体の上に、各種の塗工方式で微細空隙を有する層を形成できる。微細空隙を有するプラスチックフィルム又は合成紙としては、ポリオレフィン、特にポリプロピレンを主体として、それに無機顔料及び／又はポリプロピレンと非相溶なポリマーをブレンドし、これらをボイド（空隙）形成開始剤として用い、これらの混合物を延伸、成膜したプラスチックフィルム又は合成紙が好ましい。これらがポリエステル等を主体としたものの場合には、その粘弾性的あるいは熱的性質から、クッション性、及び断熱性が、ポリプロピレンを主体としたものに比較して劣るため、印字感度に劣り、かる濃度ムラなども生じやすい。
【０１９５】
これらの点を考慮すると、プラスチックフィルム及び合成紙の２０℃における弾性率は５×１０8Ｐａ〜１×１０10Ｐａが好ましい。また、これらのプラスチックフィルムや合成紙は、通常２軸延伸により成膜されたものであるが故に、これらは加熱により収縮する。これらを１１０℃下で６０秒放置した場合の収縮率は０．５〜２．５％である。上述のプラスチックフィルムや合成紙は、それ自体が、微細空隙を含む層の単層で合っても良いし、複数の層構成であっても良い。複数の層構成の場合には、その構成する全ての層に微細空隙を含有しても良いし、微細空隙が存在しない層が含有しても良い。このプラスチックフィルムや合成紙には、必要に応じて隠蔽剤として、白色顔料を混入させてもよい。又、白色性を増すために、蛍光増白剤等の添加剤を含有させても良い。微細空隙を有する層は、３０〜８０μｍの厚みが好ましい。
【０１９６】
微細空隙を有する層としては、支持体の上にコーティング法によって微細空隙を有する層を形成することも可能である。使用するプラスチック樹脂としては、ポリエステル、ウレタン樹脂、ポリカーボネイト、アクリル樹脂、ポリ塩化ビニル、ポリ酢酸ビニル等の公知の樹脂を単独或いは複数をブレンドして使用することができる。支持体は、上述した各種紙、合成紙、不織布、プラスチックフィルム等を用いることができる。
【０１９７】
又、必要に応じて、支持体の、受像層を設ける側とは反対側の面に、カール防止の目的として、ポリビニルアルコール、ポリ塩化ビニリデン、ポリエチレン、ポリプロピレン、変性ポリオレフィン、ポリエチレンテレフタレート、ポリカーボネイト等の樹脂や合成紙の層を設けることが出来る。貼り合わせ方法としては、例えば、ドライラミネーション、ノンソルベント（ホットメルト）ラミネーション、ＥＣラミネーション法等の公知の積層方法が使用できるが、好ましい方法はドライラミネーション及びノンソルベントラミネーション法である。ノンソルベントラミネーション法に好適な接着剤としては、例えば、武田薬品工業（株）製のタケネート７２０Ｌ等が挙げられ、ドライラミネーションに好適な接着剤としては、例えば、武田薬品工業（株）製のタケラックＡ９６９／タケネートＡ−５（３／１）、昭和高分子（株）製の、ポリゾール  ＰＳＡ  ＳＥ−１４００、ビニロール  ＰＳＡ  ＡＶ−６２００シリーズ等が挙げられる。これらの接着剤の使用量としては、固形分で約１〜８ｇ／ｍ2、好ましくは２〜６ｇ／ｍ2の範囲である。
【０１９８】
上述したような、プラスチックフィルムと合成紙、或いはそれら同士、或いは各種紙とプラスチックフィルムや合成紙、等を積層する場合、接着層により貼り合わせることが出来る。
【０１９９】
上記支持体と熱転写受像層との接着強度を大きくする等の目的で、支持体の表面に各種プライマー処理やコロナ放電処理を施すのが好ましい。
【０２００】
（層構成、塗布方法等）
以上の熱転写受像層は、支持体上に、水又は有機溶剤などの溶媒に溶解又は分散させた塗布液を、バーコーター、グラビア印刷法、スクリーン印刷法、ロールコーティング法、グラビア版を用いたリバースロールコーティング法、エアナイフコーティング法、スプレーコーティング法、カーテン塗布方法、エクストルージョンコート法などの通常の方法で塗布し、乾燥して形成することができる。バリアー層、中間層、裏面層の形成手段も、上記の受像層の場合と同様の方法で行われる。又、受像層は、上記のように支持体上に直接塗布液を塗布し、乾燥して形成するだけでなく、別の支持体に受像層を予め形成してあるものから、支持体上に受像層を転写形成してもよい。また、各層を２層以上を同時に塗布することもでき、特に全ての層を一回の塗布で済ます同時塗布を行うこともできる。
【０２０１】
受像層の厚さは、塗布乾燥後の膜厚で、０．１〜１０μｍ程度が好ましい。
【０２０２】
（熱転写受像シート形状）
本発明で用いられる熱転写受像シートは、プリンターに枚葉で供給されてもロール形態で供給されても良い。枚葉供給とは、例えば、熱転写受像シートを一定サイズにカットし、５０枚程度を１セットとしてカセットに入れ、プリンターに装着して使用される形態を指す。又、ロール形態とは、その形でプリンタに熱転写受像シートを供給し、印画後所望のサイズに切断して使用する形態のことである。特に後者は、２枚差し等の給紙不良や排出不良等の搬送系のトラブルが解消される他、印画可能枚数の大容量化にも対応することが出来るため好ましい。
【０２０３】
ロール形態で熱転写受像シートを供給する場合、特に、上述したようなハガキ仕様にした場合や、ラベルやシールタイプの熱転写受像シートを用いる場合は、裏面側に形成された郵便番号枠等のデザインマークや、シールのハーフカットの位置に対して切断位置を合わせるために、検知マークを裏面側に設けることが出来る。
【０２０４】
（熱転写記録方法）
次に、本発明の熱転写記録方法の一例を示す。
【０２０５】
透明保護層、或いは非転写性樹脂層が熱転写シートの色素供与層と面順次に供給される場合の実施の形態について、図面に基づいて説明する。図１は本発明の１実施例である熱転写シートを示す図である。図１のａでは、支持体３の同一平面上にイエロー（Ｙ）、マゼンタ（Ｍ）、シアン（Ｃ）色素供与層２が、また場合によっては透明保護層、或いは非転写性樹脂層が、面順次に設けられている。
【０２０６】
尚、図１では、各々の層の間に隙間を取っていないが、熱転写記録装置の制御方法に併せて適宜隙間を設けても良い。又、各層の頭出しを制度良く行なうために、検知マークを熱転写シートに設けることが好ましく、設け方については特に限定されることはない。ａは、支持体の同一平面上に色素供与層と透明保護層、或いは非転写性樹脂層を設けたが、もちろん、別個の支持体にそれぞれを設けても良いことは言うまでもない。尚、色素供与層の定義であるが、反応型の染料を用いた場合、色素供与層に含有されている染料自身は反応前の化合物であり厳密にいえばＹ、Ｍ、Ｃ染料とは言えないが、Ｙ、Ｍ、Ｃ画像を最終的に形成する為の層という意味で、便宜上同様に表現する。
【０２０７】
（熱転写記録装置）
本発明に用いられる熱転写記録装置として、例えば、図２に示すような装置を用いることができる。図２において、１０は熱転写シート供給ロール、１５は熱転写シート、１１は使用された熱転写シート１５を巻き取る巻取ロール、１２はサーマルヘッド、１３はプラテンローラ、１４はサーマルヘッド１２とプラテンローラ１３との間に挿入された熱転写受像シートである。
【０２０８】
本発明の熱転写プリンターにおいて、光沢調とマット調の制御を同一プリンタ内で選択可能にすると、１機種で所望の表面性の印画物が得られるため好ましい。選択の方法は特に限定されない。例えば、熱転写記録装置内に本発明の光沢調とマット調に対応する制御データを保持しておき、オペレータの簡単な操作で選択された制御データを読み出して、そのデータに従い制御部をコントロールしてもよいし、プリンタにパソコンが接続されている場合は、パソコン側に制御データを保持しておき、オペレータの簡単な操作で選択された制御データをプリンタに送りだしても良い。また、熱ローラーにて加熱をする場合には、表面を変質させる材料、たとえば光沢を出すような離型シート、マット調にするための凹凸のあるシートを画像記録後の受像層表面にあてがって、シート裏面より熱ローラーにて加熱を行うことで、表面の異なった記録体を得ることができる。
【０２０９】
（後加熱方法）
本発明において、熱転写記録により得られた記録体は、画像形成後に加熱する工程が施されてもよい。
【０２１０】
画像形成後の加熱は、熱転写記録にとっては転写された染料を受像層内に定着させる目的として行われるものである。
【０２１１】
加熱方法としては、熱転写記録に使用されるサーマルヘッドを用いる方法、熱ローラーを用いる方法、加熱ヒーターや熱風ヒーターによる方法、電子線放射や赤外線放射による方法が挙げられる。
【０２１２】
記録体の加熱は、記録体の表裏両面からでも一方の面からでも行うことができ、一方の面ずつあるいは両方の面を同時に行われ、片方ずるあるいは同時に行われる。
【０２１３】
本発明において、好ましい加熱方法としてはサーマルヘッドを用いる方法、あるいは熱ローラーを用いる方法である。
【実施例】
【０２１４】
以下に、具体例を挙げて説明する。尚、文中で部又は％とあるのはは特に断りのない限り質量基準である。
【０２１５】
［熱転写シート１の作製］
（バックコート層付の支持体Ａの作製）
厚さ４．５μｍの易接層付きポリエチレンテレフタレートフィルム（東レ社製ルミラー）の一方の面に、下記の組成かならるバックコート層塗布液１を、グラビア塗布方式で塗布、乾燥した後、加熱硬化処理を行い、乾燥膜厚１．０μｍのバックコート層を有する支持体Ａを作製した。
【０２１６】
〈バックコート層塗布液１の調製〉
ポリビニルブチラール樹脂（積水化学工業社製  エスレックＢＸ−１）    ３．５部
リン酸エステル系界面活性剤（第一工業製薬社製  プライサーフＡ２０８Ｓ）
３．０部
リン酸エステル系界面活性剤（東邦化学社製  フォスファノールＲＤ７２０）
０．３部
ポリイソシアネート（大日本インキ化学工業社製、バーノックＤ７５０−４５）
１９．０部
タルク（日本タルク社製  Ｙ／Ｘ＝０．０３）                          ０．２部
メチルエチルケトン                                                ３５．０部
トルエン                                                          ３５．０部
〔色素供与層、保護転写層の形成〕
バックコート層付の支持体Ａのバックコート面とは反対側の面に、下記組成からなるイエロー染料塗布液１、マゼンタ染料塗布液１、シアン染料塗布液１を用いて形成した各色素供与層（乾燥膜厚が１μｍ）と、多層構成保護転写層（非転写性離型層／保護層／接着層の３層構成）とをグラビア法により、図１に記載の様に面順次に設けて、熱転写シート１を作製した。
【０２１７】
〔各色素供与層〕
〈イエロー染料塗布液１〉
ポストキレート色素：Ｙ−１                                      ４．５質量部
ポリビニルアセトアセタール樹脂（積水化学社製、エスレックＫＳ−５）
５．０質量部
ウレタン変性シリコーン樹脂（大日精化社製、ダイアロマーＳＰ−２１０５）
０．５質量部
メチルエチルケトン                                            ４５．０質量部
トルエン                                                      ４５．０質量部
〈マゼンタ染料塗布液１〉
ポストキレート色素：例示化合物３                                ４．０質量部
ポリビニルアセトアセタール樹脂（積水化学社製、エスレックＫＳ−５）
５．５質量部
ウレタン変性シリコーン樹脂（大日精化社製、ダイアロマーＳＰ−２１０５）
０．５質量部
メチルエチルケトン                                            ４５．０質量部
トルエン                                                      ４５．０質量部
〈シアン染料塗布液〉
ポストキレート色素：Ｃ−１                                      ４．０質量部
ポリビニルアセトアセタール樹脂（積水化学社製、エスレックＫＳ−５）
５．５質量部
ウレタン変性シリコーン樹脂（大日精化社製、ダイアロマーＳＰ−２１０５）
０．５質量部
メチルエチルケトン                                            ４５．０質量部
トルエン                                                      ４５．０質量部
【０２１８】
【化６１】
2006315390.tif 000063
【０２１９】
〔多層構成保護転写層〕
（非転写性離型層）
下記の組成からなる非転写性離型層塗布液１をグラビアコート法により、乾燥後固形分量が０．５ｇ／ｍ2となるように塗布、乾燥して、非転写性離型層を形成した。
【０２２０】
〈非転写性離型層塗布液１〉
コロイダルシリカ（日産化学（株）製スノーテックス５０）          １．５質量部
ポリビニルアルコール                                            ４．０質量部
イオン交換水                                                    ３．０質量部
変性エタノール                                                    １０質量部
（保護転写層）
上記形成した非転写性離型層上に、下記の組成からなる保護転写層塗布液１をグラビアコート法により、乾燥後固形分量が２．０ｇ／ｍ2となるように塗布、乾燥して、保護転写層を形成した。
【０２２１】
〈保護転写層塗布液１〉
アクリル樹脂                                                      １５質量部
塩化ビニル−酢酸ビニル共重合体                                      ５質量部
反応性紫外線吸収剤を反応結合した共重合樹脂（ＢＡＳＦジャパン社製ＵＶＡ−６３５Ｌ）                                                                ４０質量部
ポリエチレンワックス  ＿                                        ０．３質量部
ポリエステル樹脂                                                ０．１質量部
メチルエチルケトン                                                ４０質量部
トルエン                                                          ４０質量部
アンチモン酸亜鉛（日産化学（株）製セルナックス）                  ２０質量部
（接着層）
上記形成した保護転写層上に、下記の組成からなる接着層塗布液１を、グラビアコート法により、乾燥後固形分量が２．０ｇ／ｍ2となるように塗布、乾燥して、接着層層を形成した。
【０２２２】
〈接着層塗布液１〉
塩化ビニル−酢酸ビニル共重合体                                    ２０質量部
メチルエチルケトン                                              １００質量部
トルエン                                                        １００質量部
以上により、非転写性の離型層上に、保護転写層と接着層の積層体である保護転写層を剥離可能に備えた多層構成保護転写層を作製し熱転写シート１を得た。
【０２２３】
〔熱転写シート２〜１７、比較１〜６の作製〕
熱転写シート１のマゼンタ色素である例示化合物３を表２のように変えた熱転写シート２〜１７、比較１〜６を作製した。
【０２２４】
〔熱転写受像シート１の作製〕
下記の内容に従って、熱転写受像シート１を作製した。
【０２２５】
（支持体の作製）
熱転写受像シートの支持体として、コート紙（米坪量１５７ｇ／ｍ2  ＯＫトップコートＳ  王子製紙社製）を用い、その一方の面にコロナ放電処理を施した後、その面に裏面樹脂層として、エチレン−αオレフィン共重合体（タフマーＡ−４０８５  三井石油化学工業社製）を１５質量％ブレンドした高密度ポリエチレン（ジェイレックスＬＺ０１３９−２、密度０．９５２、日本ポリオレフィン（株）製  以下、これをＨＤＰＥと略す）と、ポリプロピレン（ジェイアロマーＬＲ７１１−５、密度０．９０５、日本ポリオレフィン社製  以下、これをＰＰと略す）とを公知の多層Ｔダイによる共押し出しコート法でＨＤＰＥ側がコート紙に接するように２層共押し出しして積層した。また、外側になるＰＰ面には、コロナ放電処理を施した後、下記の組成からなる裏面層塗布液１を、乾燥固形分量が１．５ｇ／ｍ2となるように塗布、乾燥して、支持体Ｂを作製した。なお、裏面樹脂層の厚さは、エチレン−αオレフィン共重合体ブレンドのＨＤＰＥ層が１４μｍ、ＰＰ層が１９μｍ、合計３３μｍとなるように加工した。
【０２２６】
〈裏面層塗布液１の調製〉
アクリル樹脂（三菱レイヨン（株）製  ＢＲ−８５）              １９．８質量部
ナイロンフィラー（神東塗料（株）製ＭＷ−３３０）                ０．６質量部
メチルエチルケトン                                            ３９．８質量部
トルエン                                                      ３９．８質量部
（熱転写受像シートの作製）
一方、微細空隙を有する樹脂層として、厚さ３５μｍの発泡ポリプロピレンシート（３５ＭＷ８４６  Ｍｏｂｉｌ  Ｐｌａｓｔｉｃｓ  Ｅｕｒｏｐｅ社製）を用い、その一方の面に、下記の組成からなる中間層用塗布液と染料受像層用塗布液とを、グラビアリバースコート法により、各々乾燥時の塗布膜厚が１μｍと３μｍとになるように、順次塗布、乾燥して、中間層と染料受容層とが積層された発泡ポリプロピレンシートを作製した。
【０２２７】
次に、上記発泡ポリプロピレンシートの中間層及び染料受容層を設けていない側の面（発泡ポリプロピレンシート面）と、前記支持体Ｂの裏面樹脂層を設けていない側の面（コート紙面）とを下記組成の接着剤を用いてドライラミネート法で貼り合わせて、熱転写受像シート１を作製した。
【０２２８】
〈中間層塗布液の調製〉
ウレタン系樹脂（ニッポラン５１９９、日本ポリウレタン社製）      ５．７質量部
酸化チタン（ＴＣＡ８８８、トーケム・プロダクツ社製）          １１．４質量部
蛍光増白剤（ユビテックスＯＢ、日本チバガイギー社製）            ０．２質量部
イソシアネート（タケネートＡ−１４、武田薬品工業社製）          ２．０質量部
メチルエチルケトン                                            １５．５質量部
トルエン                                                      １５．５質量部
イソプロピルアルコール                                          ７．７質量部
〈染料受像層塗布液の調製〉
塩化ビニル−酢酸ビニル共重合体（デンカビニル＃１０００Ａ  電気化学工業社製）
７．２質量部
塩化ビニル−スチレン−アクリル共重合体（デンカラック＃４００  電気化学工業社製）                                                                １．６質量部
ポリエステル（バイロン６００  東洋紡績社製）                  １１．２質量部
メタルソース（ＭＳ−１）                                        ８．０質量部
ビニル変性シリコーン（Ｘ−６２−１２１２  信越化学工業社製）    ２．０質量部
触媒：ＣＡＴ  ＰＬＲ−５（信越化学工業社製）                    １．０質量部
触媒：ＣＡＴ  ＰＬ−５０Ｔ（信越化学工業社製）                  １．２質量部
溶剤：メチルエチルケトン                                      ３９．０質量部
溶剤：トルエン                                                ３９．０質量部
〔熱転写受像シート２〜１０の作製〕
熱転写受像シート１において、受像層塗工液中のメタルソースを表２のように変えた受像シート２〜９を作製した。メタルソースの添加量は分子量に応じ金属イオン含量が等しくなる様に添加した。さらに、熱転写受像シート１において、受像層塗工液中のメタルソースを除いた熱転写受像シート１０を作製した。
【０２２９】
実施例１
抵抗体形状がスクエア（主走査方向長８０μｍ×副走査方向長１２０μｍ）、３００ｄｐｉ（ｄｐｉとは、２．５４ｃｍ当りのドット数を表す）ラインヘッドのサーマルヘッドを搭載した熱転写記録装置に、熱転写受像シート１の受像層部と熱転写シート１を重ね合わせてセットし、サーマルヘッドとプラテンロールで圧接しながら、５〜８０ｍＪ／ｍｍ2の印加エネルギー範囲で順次増加させるイエロー、マゼンタ、シアン、ニュートラル（イエロー、マゼンタ、シアンの３色重ね）の各ステップパターンを、送り速度１０ｍｓｅｃ／ｌｉｎｅ、１ライン当たりの送り長さを８５μｍで、色素供与層の背面側から加熱して、熱転写受像シートの受像層上に各色素を転写させて、画像を形成した。
【０２３０】
次いで、画像形成に使用したのと同じ熱転写記録装置を用いて、画像を形成した熱転写受像シートと、前記作製した多層構成保護転写層を重ね合わせて、サーマルヘッドとプラテンロールで圧接しながら、８０ｍＪ／ｍｍ2の印加エネルギー、送り速度１０ｍｓｅｃ／ｌｉｎｅで保護層転写シートの背面側から加熱して熱転写受像シートの画像上全面に保護層を転写して、印画試料１−１を作製した。
【０２３１】
同様にして、表２に示す熱転写シートと受像シートの組み合わせを用い、印画試料１−２〜１−２４を作製した。
【０２３２】
（最大濃度、感度、耐光性、耐湿、耐熱性、黄変、画像滲み）
作製した試料について、転写後の濃度ＣｉをＸ−ｒｉｔｅ  ３１０にて測定したのち、アトラス製ウェザーメーターを用いて８５０００ルクスのキセノン光を１４日間照射した後、再び濃度Ｃｆを測定し色素残存率（Ｃｆ／Ｃｉ）×１００を求めた。
【０２３３】
マゼンタ、ニュートラルの最大濃度（Ｄｍａｘ）値を示した。
【０２３４】
さらに、マゼンタ濃度、およびニュートラル濃度１．０を与えるエネルギーを相対値で示した。この場合、印画試料１−１９を基準とした。値が低いほど感度が高いことを示す。
【０２３５】
また、マゼンタ、ニュートラルの全ての濃度について色素残存率が９０％以上の場合を耐光性Ａ、８０％以上の場合を耐光性Ｂ、８０％未満の場合を耐光性Ｃとした。
【０２３６】
また、作製した試料について６０℃、９０％ＲＨの高温高湿条件下で１４日間静置した場合と、７７℃、１０％ＲＨの高温条件で７日間静置した場合の白地の変化と色の滲みを目視で評価した。
【０２３７】
白地変化
○  黄変なし
△  若干黄変が認められる
×  明らかにが認められる。
【０２３８】
色滲み
○  なし
△  若干滲みが認められる
×  明らかに滲みが認められる。
【０２３９】
（生保存性）
印画試料１−１〜１−２４を
Ａ：４０℃８０％ＲＨ  １００ｈ
Ｂ：５５℃１０％  ４８ｈ保存後の印画試料を目視し、色素の析出等の変化がないか評価した。
○  Ａ、Ｂ条件とも何ら変化がない
△  Ａ、Ｂどちらかの条件で若干にごりが見られる
×  Ａ、Ｂとも明らかに析出が見られる。
【０２４０】
以上の結果を表２に示す。
【０２４１】
【表２】
2006315390.tif 000064
【０２４２】
【化６２】
2006315390.tif 000065
【０２４３】
実施例２
〔熱転写シート１８〜２４、比較７〜１０の作製〕
表３に示すように、実施例１の熱転写シート５、７、９、１０、１２、１５、１７、比較１、比較３、比較４、比較６（表３の元の熱転写シート）について、マゼンタ色素の密度が１．４倍になるようにバインダー量を変更した熱転写シート１８〜２４、比較７〜１０を作製した。
【０２４４】
熱転写シート１８〜２４、比較７〜１０および、熱転写受像シートについて、表３の組み合わせで、実施例１と同様にサーマルヘッドを用いて染料を転写させた印画試料２−１〜２−１２を作製した。
【０２４５】
これらの試料について、実施例１と同様の評価方法により最大転写濃度、感度、耐光性、白地変化、色滲み及び生保存性について評価し、結果を表３に示す。尚、感度の評価は、実施例１の印画試料１−１９を基準とした相対値である。
【０２４６】
【表３】
2006315390.tif 000066
【０２４７】
表２及び表３の結果から、本発明の感熱転写記録材料は、熱転写シートの保存性が良く、感度が高く、保存性の良い、高温高湿、または高温条件下での白地の黄変が全くない安定した画像が得られることがわかる。
【図面の簡単な説明】
【０２４８】
【図１】本発明の方法に用いられる熱転写シートに設ける色素供与層と再加熱処理層の態様の例を示す平面図である。
【図２】本発明の方法に用いられる熱転写記録装置の一例の概念図である。
【符号の説明】
【０２４９】
１  保護層領域
２Ｙ  イエロー染料を含有する領域
２Ｍ  マゼンタ染料を含有する領域
２Ｃ  シアン染料を含有する領域
３、３′  熱転写シート支持体
１０  熱転写シート供給ロール
１１  巻取ロール
１２  サーマルヘッド
１３  プラテンローラ
１４  熱転写受像シート
１５  熱転写シート
【図１】
2006315390.tif 000072
【図２】
2006315390.tif 000073